(57)【要約】【課題】開閉可能な扉と本体との位置を簡単に調整できる取付機構を提供する。【解決手段】本体３に対して扉６を開閉可能に取り付ける取付機構１０は、本体３に取り付けられるブラケット１１と、ブラケット１１の溝１３に差し込まれるヒンジピン２０とを有し、ヒンジピン２０は、フランジ部２５から扉６の回転の中心となるように突き出た第１の軸２１と、フランジ部２５から溝１３に差し込むように突き出た第２の軸２２とを備え、第２の軸２２が第１の軸２１に対して偏心している。この取付機構１０では、ヒンジピン２０を動かすだけで、扉６の幅方向Ｘと前後方向Ｙの位置を調整でき、扉６の位置調整を簡単に行うことができる。【選択図】        図２
2004324263.tif 000002
【特許請求の範囲】
【請求項１】
本体に対して扉を開閉可能に取り付ける取付機構であって、
前記本体または扉に取り付けられたブラケットと、
前記ブラケットに設けられた溝に差込可能なヒンジピンとを有し、
このヒンジピンは、前記溝に対する抜け止めとなるフランジ部と、このフランジ部から前記扉または本体の回転の中心となるように突き出た第１の軸と、前記フランジ部から前記溝に差し込むように突き出た第２の軸とを備えており、この第２の軸は前記第１の軸に対して偏心している取付機構。
【請求項２】
請求項１において、前記第１の軸は前記フランジ部の中心にある取付機構。
【請求項３】
請求項１において、前記第２の軸はボルトであり、当該ボルトにナットを締め付けて前記フランジ部で前記ブラケットを挟み込むことにより、前記ブラケットに対して前記ヒンジピンの位置および回転角度を固定可能である取付機構。
【請求項４】
本体に対して扉を開閉可能に取り付ける取付機構を有する貯蔵庫であって、
前記取付機構は、前記本体または扉に取り付けられたブラケットと、前記ブラケットに設けられた溝に差込可能なヒンジピンとを備え、
このヒンジピンは、前記溝に対する抜け止めとなるフランジ部と、このフランジ部から前記扉または本体の回転の中心となるように突き出た第１の軸と、前記フランジ部から前記溝に差し込むように突き出た第２の軸とを具備しており、この第２の軸は前記第１の軸に対して偏心している貯蔵庫。
【発明の詳細な説明】
【０００１】
【発明の属する技術分野】
本発明は扉を本体に対して開閉可能に取り付ける機構に関するものである。
【０００２】
【従来の技術】
扉またはドアを開閉できる構造は様々あるが、本体に対する扉の取付位置を適正に保持することは、がたつきを防止し、貯蔵庫の断熱性を維持する大きな要因の一つである。したがって、扉を本体に対して開閉可能に取り付ける取付機構は、扉の取付位置を微調整できる機構を備えていることが望ましい。
【０００３】
【特許文献１】
特開平６−２８８１４１号公報
【０００４】
【発明が解決しようとする課題】
図５に貯蔵庫１００の箱本体１０１に扉１０２を開閉可能に取り付ける取付機構１１０を示してある。この取付機構１１０は、本体１０１に取り付けられたブラケット１１２と、ブラケット１１２に取り付けられて扉１０２を回転可能に支持するヒンジピン１１１とを有している。ヒンジピン１１１は扉１０２の回転中心となるように突き出た軸部１１３と、この軸部１１３とフランジ部１１４を挟んで反対側に突き出た固定用のボルト部１１５とを備えている。一方、ブラケット１１２は、本体１０１に固定される固定部１１９と、この固定部１１９から扉側に突き出てヒンジピン１１１を取り付け可能な支持部１１８とを備えている。固定部１１９には、ブラケット１１２をボルト１２９およびナット１２８により本体１０１に固定するために用いられる取付孔１２１が形成されており、この取付孔１２１は、ブラケット１１２の固定位置を扉の幅方向Ｘに調整できるようにＸ方向に長い長孔または溝になっている。支持部１１８には、ヒンジピン１１１のボルト部１１５を差し込んでヒンジピン１１１を固定するための支持孔１２２が設けられており、この支持孔１２２は、扉１０２の前後方向Ｙの位置が調整できるようにＹ方向に長い長孔または溝になっている。
【０００５】
したがって、本体１０１に対する扉１０２の位置を調整する場合、幅方向は長孔１２１を利用してブラケット１１２を幅方向Ｘに動かし、前後方向は、長孔１２２を利用してヒンジピン１１１の位置を前後方向Ｙに動かすことにより行われる。しかしながら、多くの場合、扉１０２をがたつきなく、かつ本体１０１を密閉するように動かすためには、幅方向Ｘおよび前後方向Ｙを同時に調整する必要があり、ブラケット１１２の位置とヒンジピン１１１の位置とを同時に調整しなくてはならず、作業中は扉１０２の支持が不安定になり作業性が悪い。また、ブラケット１１２の位置とヒンジピン１１１の位置とを同時に調整するには熟練を要する。
【０００６】
特開平６−２８８１４１号公報には、台板に第１の円形穴を形成し、この第１の円形穴に第１の円板を回動自在に嵌め合わせ、第１の円板の偏心した第２の円形穴に第２の円板を嵌め合わせ、第２の円板に偏心した回転支軸を突設することが記載されている。２つの偏心した部材、すなわち、第１の円板と、第２の円板とを動かすことにより回転支軸の位置を２方向に微調整可能であり、台板を動かさなくても扉の位置を２方向に微調整できる可能性がある。しかしながら、そのために２つの部品を同時に動かす必要があり、また、一方の部材の位置あるいは回転角度に他方の部材の位置あるいは回転開度が影響されるので、扉の位置を２方向に微調整することは非常に面倒な作業であり、この方法もやはりかなりの熟練を有し、また、微調整できる範囲も広いとは言えない。
【０００７】
そこで、本発明においては、本体に対する扉位置を簡単に、そして安定した状態で調整することが可能な取付機構を提供することを目的している。
【０００８】
【課題を解決するための手段】
このため、本発明においては、回転の中心となる軸（第１の軸）に対して偏心した軸（第２の軸）を備えたヒンジピンと、第２の軸が差し込まれる長孔または溝を備えたブラケットとを組み合わせた取付機構を提供する。すなわち、本発明の取付機構は、本体に対して扉を開閉可能に取り付ける取付機構であって、本体に取り付けられたブラケットと、ブラケットに設けられた溝に差込可能なヒンジピンとを有し、このヒンジピンは溝に対する抜け止めとなるフランジ部と、このフランジ部から扉の回転の中心となるように突き出た第１の軸と、フランジ部から溝に差し込むように突き出た第２の軸とを備えており、この第２の軸は第１の軸に対して偏心している。ブラケットは扉に取り付けることも可能であり、この場合は第１の軸は本体に接続され、ブラケットが回転する中心となる。
【０００９】
本発明の取付機構は、たとえば、ブラケットが本体に取り付けられている場合、ブラケットの溝に沿ってヒンジピンを動かすことにより溝の方向に第１の軸を動かし、扉の旋回中心の位置を調整できる。また、ヒンジピンを回転することにより、第２の軸に対して第１の軸が偏心して動くので、ブラケットの溝の延びた方向に直交する方向に第１の軸を動かし、扉の旋回中心の位置を調整できる。したがって、ブラケットを本体に取り付けた状態で、ヒンジピンの位置および角度を調整するだけで本体に対する扉の位置を２次元で調整できる。ブラケットが扉に取り付けられた状態でも同様である。
【００１０】
このため、ブラケットが本体に取り付けられた状態であれば、扉がブラケットを介して本体に支持された状態で扉の位置調整を安定して行うことができる。また、第２の軸をボルトとすることにより、ボルトにナットを締め付けてフランジ部でブラケットを挟み込むと、ブラケットに対してヒンジピンの位置および回転角度を簡単に決定できる。したがって、ボルトを緩めるとブラケットを介して扉が本体に支持された状態で扉の位置を微調整することができ、適当な位置に調整されたらボルトを締めるだけでその位置に扉の旋回位置を固定できる。このため、本発明の取付機構を採用すれば、扉と本体との位置調整は非常に簡単な作業となり、扉が不安定な状態で作業する必要もなく、また、位置調整をするために熟練した技術も不要となる。
【００１１】
このため、本体に対して扉を開閉可能に取り付ける取付機構を有する貯蔵庫であって、取付機構は、本体または扉に取り付けられたブラケットと、ブラケットに設けられた溝に差込可能なヒンジピンとを備え、このヒンジピンは溝に対する抜け止めとなるフランジ部と、このフランジ部から扉または本体の回転の中心となるように突き出た第１の軸と、フランジ部から溝に差し込むように突き出た第２の軸を具備しており、第２の軸は第１の軸に対して偏心している貯蔵庫においては、扉と本体の位置関係を簡単に微調整することができ、がたつきなく扉が開閉し、さらに、扉を閉めると扉が本体に密着し十分な断熱性能が得られる貯蔵庫を提供できる。
【００１２】
第２の軸がフランジ部の中心にあっても、第１の軸がフランジ部の中心にあっても上述した本発明の作用および効果には変わりはない。しかしながら、第１の軸とフランジ部との関係は扉の側に現れ、ユーザに見られる部分となる。したがって、第１の軸はフランジ部の中心になるようにし、第２の軸をフランジ部の中心から偏心させることにより、ユーザが普通に見れる範囲では対称的な配置で、安心感を与える取付機構を提供できる。
【００１３】
【発明の実施の形態】
以下に図面を参照して本発明をさらに詳しく説明する。図１に本発明に係る取付機構を有する貯蔵庫の外観を示してある。貯蔵庫１は、前面が開口２となった断熱性の箱本体３と、開口部２を開閉する２枚の扉５および６とを有しており、各々の扉５および６は、扉５および６と本体３を連結する取付機構１０により、本体３に対して旋回可能に取り付けられている。したがって、扉５および６の一方または双方を開いて開口部２を開放することにより、米やワインなどの貯蔵物を搬出入することができる。
【００１４】
取付機構１０は１つの扉５または６に対して上下の２箇所に設けられており、それぞれの取付機構１０は、それぞれの扉５および６の、本体３に対する前後方向Ｙおよび左右方向（幅方向）Ｘの位置を調整する機能を備えている。したがって、扉５および６は箱本体３に対してがたつきなくスムーズに開閉できる位置であって、さらに、閉じたときに開口２を密閉し十分な断熱性能が得られるようになっている。さらに、箱本体３の上部には、冷却装置、暖房装置、加湿装置のいずれか、あるいは全てを含む環境制御ユニット７が取り付けられており、箱本体３の内部（庫内）の温度や湿度などの環境を所望の条件に維持することができる。
【００１５】
図２に、取付機構１０の１つを拡大して示してある。本例の取付機構１０は全て同じ構成なので扉６の上に取り付けられている取付機構１０を代表して説明する。図２（ａ）は取付機構１０の平面図であり、図２（ｂ）は取付機構１０の断面図である。取付機構１０は、箱本体３の上面３ａに取り付けられたブラケット１１と、ブラケット１１に設けられた溝または長孔１３に差込可能なヒンジピン２０とを備えており、ブラケット１１およびヒンジピン２０の組み合わせにより箱本体３に対する扉６の前後方向Ｙおよび幅方向Ｘの位置を調整することができる。
【００１６】
ブラケット１１は、箱本体３の上面３ａから扉６に延びる平板状の部材であり、箱本体３に取り付けられる固定部１９と、固定部１９から延びて扉６を支持する支持部１８とを備えている。固定部１９には、箱本体３の上面３ａにブラケット１１を固定するための４つのねじ止め用の穴１４が設けられており、ボルト１２９およびナット１２８により本体３にブラケット１１を固定できる。支持部１８には、扉６の前後方向Ｙに長く延びる長方形の長孔または溝１３が設けられている。
【００１７】
図３（ａ）および（ｂ）にヒンジピン２０の構成を正面図および平面図により示してある。本例のヒンジピン２０は、ブラケット１１の溝１３に対する抜け止めとなる円板状のフランジ部２５と、このフランジ部２５から下および上に突き出た２つの軸２１および２２を備えている。下側、すなわち、扉６の側に突き出た軸（第１の軸）２１は扉６の上面６ａに挿入されることにより扉６が開閉されるときの回転の中心となる。第１の軸２１と反対側に突き出た軸（第２の軸）２２はブラケット１１の溝１３に差し込まれることによりヒンジピン２０の位置を固定し、本体３に対する扉６の旋回中心の位置、すなわち、本体３に対する扉６の位置を固定する。これらの軸２１および２２は、中心線ＡおよびＢにより示すように、相互に偏心している。本例のヒンジピン２０では、第１の軸２１がフランジ部２５の中心に配置され、第２の軸２２がフランジ部２５の中心から外側に偏心した位置に配置されている。
【００１８】
第２の軸２２は外周にネジが形成されたボルトとなっており、軸２２をブラケット１１の溝１３に通してフランジ部２５と反対側からナット２９を締め付けることにより、溝１３の所望の位置に、ヒンジピン２０を所望の角度で固定できる。第２の軸２２は、その先端面に六角穴２８が設けられており、ナット２９を締めている作業中に、第２の軸２２の前後方向Ｙの位置やヒンジピン２０の角度が動かないように六角穴２８に工具を挿入してヒンジピン２０の位置および角度を保持できる。
【００１９】
図４に箱本体３に対する扉６の位置を調整する様子を、ボルト１２９、ナット１２８、ナット２９を省略した状態で示してある。図４（ａ）はヒンジピン２０を回転させたときの様子であり、図４（ｂ）はヒンジピン２０の位置を前後方向Ｙに移動させたときの様子である。図４（ａ）に示すように、ヒンジピン２０を回転させると、扉６の旋回中心となる第１の軸２１に対して第２の軸２２が偏心しており、第２の軸２２はブラケット１１の溝１３に取り付けられるので、扉６の旋回中心はブラケット１１の溝１３に対して直交する方向、すなわち、本例では扉６の幅方向Ｘに動かすことができる。
【００２０】
一方、図４（ｂ）に示すように、ヒンジピン２０の第２の軸２２の位置は溝１３に沿って前後方向Ｙにスライドできる。したがって、扉６の位置は箱本体３に対して前後方向Ｙに動かすことができる。このため、箱本体３に対する扉６の前後方向Ｙおよび幅方向Ｘの位置は、箱本体３にブラケット１１を固定したままの状態で、ブラケット１１に対してヒンジピン２０が動くようにナット２９を緩めるだけで調整することができる。したがって、扉６は、前後Ｙおよび左右Ｘには微調整するために動かすことはできるが、基本的にはブラケット１１により本体３に対して支持されたままの状態であり、位置調整している間に扉６が上下にがたついたり、ブラケット１１が傾いてヒンジピン２０が外れて扉６が本体３から外れてしまうようなことはない。このため、本例の取付機構１０を使用することにより、扉６の位置調整をしている間も扉６は本体３に対してスムーズに旋回できる状態で支持され、安全に扉６の位置を微調整できる。さらに、扉６を旋回させながら位置を微調整できるので、簡単に精度良く扉６の位置調整が可能となる。
【００２１】
また、本体３に対して扉６の位置を動かせば、それに応じてヒンジピン２０はブラケット１１の溝１３を前後方向Ｙへ移動し、また、ヒンジピン２０は回転する。すなわち、扉６の位置調整が単純に前後方向Ｙであればヒンジピン２０は溝１３をスライドするだけとなるが、幅方向Ｘへの移動が含まれる場合は、ヒンジピン２０が第２の軸２２を中心に回転すると共に溝１３をスライドする。しかしながら、このようなヒンジピン２０の動きは、扉６の位置を調整する際に、扉６の動きに連動あるいは追従してヒンジピン２０がブラケット１１に対して回転および／またはスライドすることにより自動的に行われ、ヒンジピン２０の溝１３の移動距離やヒンジピン２０の回転角度を意識する必要はない。そして、扉６の位置が本体３に対して所望の状態になったら、そのときのヒンジピン２０の位置および角度でナット２９を締めることにより、扉６の位置を固定することができる。したがって、本例の取付機構１０においては、個々の取付機構１０の位置調整はヒンジピン２０をブラケット１１に固定しているナット２９を操作するだけで良く、手間はかからない。このように、本例の取付機構１０は、ナット２９を緩め、扉６を持って本体３に対する位置を調整し、所望の状態になったらナット２９を締めるという単純な工程（作業）で行うことが可能であり、扉６の位置調整作業は極めて容易であり、熟練した技術は不要である。
【００２２】
なお、扉６の位置調整を説明したが、扉５についても同様の作業で位置調整を行うことができる。また、本例では本体の側にブラケット１１を固定した取付機構を説明しているが、扉にブラケットを固定し、本体に対してヒンジピンで回転可能に取り付けることも可能である。また、ヒンジピン２０においては、ヒンジピン２０をブラケット１１に取り付ける第２の軸２２をフランジ部２５の中心に配置し、第１の軸２１をフランジ部２５の中心に対して偏心した位置にすることも可能であり、ナット２９とフランジ部２５とでブラケット１１で挟み込む際にナット２９に対面するフランジ部２５の面積を確保しやすいので、フランジ部２５のサイズを低減するためには好ましい配置である。しかしながら、第１の軸２１は、扉側に突き出ており、ユーザに見えやすい部材であり、第１の軸２１がフランジ部２５の中心にないデザインは不安定な感じを与えやすく、部品の不良と見られる可能性もある。また、第１の軸２１の周りに扉６が旋回するので、扉６との接触面積を一様に確保しやすい。したがって、本例においては、フランジ部２５をナット２９に対面する面積が十分に確保できるサイズにして、第１の軸２１をフランジ部２５の中心に配置している。
【００２３】
また、上記では、貯蔵庫を例に本発明を説明したが、本発明は貯蔵庫に限定されずに、本体に対して扉またはドアを開閉可能に取り付ける取付機構、たとえば、家の玄関などの様々な場所の取付機構に適用可能である。
【００２４】
【発明の効果】
以上に説明したように、本発明においては、本体と扉を連結するブラケットに溝を設けると共に、その溝に差し込まれて扉を旋回支持するヒンジピンが偏心した２つの軸を備えるようにしている。この取付機構により、ヒンジピンが回転し、また溝に沿って移動することにより、ヒンジピンの動きだけで本体と扉の位置を各々の方向において調整することが可能になる。したがって、ブラケットに対するヒンジピンの固定を緩めて扉を動かすだけで位置調整が可能となり、本体と扉の位置調整作業を非常に簡単に、また安全に行うことができる。
【図面の簡単な説明】
【図１】本発明に係る取付機構を有する貯蔵庫の外観を示す図である。
【図２】図２（ａ）は取付機構を拡大して示す平面図、図２（ｂ）は取付機構を拡大して示す断面図である。
【図３】図３（ａ）は取付機構のヒンジピンの正面図、図３（ｂ）は取付機構のヒンジピンの平面図である。
【図４】図４（ａ）はヒンジピンを回転させたときの様子を示す図、図４（ｂ）はヒンジピンを前後に移動させたときの様子を示す図である。
【図５】従来の取付機構を示す図である。
【符号の説明】
１    貯蔵庫
３    箱本体
５、６    扉
１０    取付機構
１１    ブラケット
１３    溝
２０    ヒンジピン
２１    第１の軸
２２    第２の軸
２５    フランジ部
２９    ナット
【図１】
2004324263.tif 000003
【図２】
2004324263.tif 000004
【図３】
2004324263.tif 000005
【図４】
2004324263.tif 000006
【図５】
2004324263.tif 000007